(57)【要約】【課題】  中蓋部材のヒンジ近傍に取手を設けることにより、ダイレクトボトルの持ち運びを容易にし、且つ安心して内容物を飲むことができるステンレス製真空二重容器を用いたダイレクトボトルを提供すること。【解決手段】  ステンレス製真空二重構造の容器本体と、飲み口部を有する中蓋部材と、ヒンジを介し自動開閉されるワンプッシュ式の蓋部材とを有するステンレス製真空二重容器を用いたダイレクトボトルにおいて、中蓋部材に凹部を設け、且つ中蓋部材のヒンジ近傍に取手を設ける構成。【選択図】        図１
2005296234.tif 000002
【特許請求の範囲】
【請求項１】
ステンレス製真空二重構造の容器本体と、飲み口部を有する中蓋部材と、ヒンジを介し自動開閉されるワンプッシュ式の蓋部材とを有するステンレス製真空二重容器を用いたダイレクトボトルにおいて、前記中蓋部材のヒンジ近傍に取手を設けることを特徴とするステンレス製真空二重容器を用いたダイレクトボトル。
【請求項２】
前記取手の取り付け位置は、前記ヒンジの下端であることを特徴とする請求項１記載のステンレス製真空二重容器を用いたダイレクトボトル。
【請求項３】
前記蓋部材の開状態では、前記蓋部材は水平より下方まで開いていることを特徴とする請求項１、２記載のステンレス製真空二重容器を用いたダイレクトボトル。
【請求項４】
前記蓋部材の前記取手対向部に補強用凹部を設け、この凹部を利用して前記蓋部材の開き角度を水平より下方まで導くことを特徴とする請求項１ないし３記載のステンレス製真空二重容器を用いたダイレクトボトル。
【発明の詳細な説明】
【技術分野】
【０００１】
本願発明は、ワンプッシュで蓋部材を開放でき、且つステンレス製真空二重容器を用いた直飲み式のダイレクトボトルに関するものである。
【背景技術】
【０００２】
近時、携帯用の飲料容器としてワンプッシュで蓋部材を開放できるとともに、中蓋部材に飲み口が一体に形成され、飲み口に直接口を付けて中の飲料を飲む、所謂直飲み式のダイレクトボトルが多く出回っている。この飲料容器の一例を図７に示す。
【０００３】
図７に示すようにダイレクトボトルａは、容器本体ｂとこの容器本体ｂの上端開口部に設けられる中蓋部材ｃ及びこの中蓋部材ｃの上方に取り付けられ、中蓋部材ｃを開閉する蓋部材ｄとで構成される。前記容器本体ｂは、ステンレスからなる内外２重の真空断熱二重壁構造体からなる有底状の容器部材であり、その上端部外周上には、係合部としての螺子ｅ１が形成される。
【０００４】
前記中蓋部材ｃは、下方が開口された樹脂製の円筒状部材で、その下方内周面には、前記容器本体ｂの上端開口の外周面に形成される螺子ｅ１と螺合可能な螺子ｅ２が形成される。また、中蓋部材ｃの上壁面には、上方に立設する飲み口部ｆが一体に形成されており、この飲み口部ｆに直接口を付けて中の飲料を飲む。
【０００５】
前記蓋部材ｄは、下方が開口された樹脂製の蓋で、下方の一方端は、中蓋部材ｃの上端部に形成されるヒンジｇに回動自在に係合され、その係合部と反対側の箇所には、係合突起ｈが設けられる。そして、この係合突起ｈは、ワンプッシュボタンｉに一体に形成される係止片ｊに係合可能とされ、通常時には、ワンプッシュボタンｉの係止片ｊに係合され、蓋部材ｄを閉蓋し、飲み口部ｆを蓋部材ｄの内壁に取り付けられるパッキンｋに当接し、容器本体ｂ内を密閉する。
【０００６】
内容物を飲む場合には、ワンプッシュボタンｉを押す。すると蓋部材ｄは、ヒンジｇに取り付けられるバネの力により開放されるため、中蓋部材ｃの上壁面に設けられる飲み口部ｆに直接口を付け、中の飲料を飲むことになる（例えば、特許文献１参照）。
【０００７】
ところで、このようなワンプッシュ式で、且つステンレス製の真空二重容器を用いた直飲み式のダイレクトボトルは、細長いスリムな形状に作られており、バック等に入れられて持ち運びされている。ところが、手に持って持ち運んだり、或いは内容物を飲む場合、手が滑ってダイレクトボトルを落とす場合があった。
【０００８】
また、例え、ダイレクトボトルの中蓋部材ｃに取手ｍを設けたとしても、中蓋部材ｃのヒンジｇ近傍に取手ｍを設けると、図８に示すように蓋部材ｄが取手ｍの上端部に当接し、蓋部材ｄが十分開かず、飲み口ｆに口を付け内容物を飲む場合、顔に蓋部材ｄが当たり飲みにくいという弊害が発生する恐れがある。
【特許文献１】特開２００２−８７４４７
【発明の開示】
【発明が解決しようとする課題】
【０００９】
本願発明は、ダイレクトボトルの中蓋部材のヒンジ近傍に取手を設けることにより、ダイレクトボトルの持ち運びを容易にし、且つ安心して内容物を飲むことができるステンレス製真空二重容器を用いたダイレクトボトルを提供することを目的とする。
【課題を解決するための手段】
【００１０】
上記目的を達成するため、本願発明は以下の構成を採用する。
【００１１】
請求項１、２に係る発明では、ステンレス製真空二重構造の容器本体と、飲み口部を有する中蓋部材と、ヒンジを介し自動開閉されるワンプッシュ式の蓋部材とを有するステンレス製真空二重容器を用いたダイレクトボトルにおいて、前記中蓋部材のヒンジ近傍に取手を設け、また、前記取手の取り付け位置は、前記ヒンジの下端である構成。そしてこのような構成により、ダイレクトボトルの持ち運びが容易になる。また、取手に指を入れた状態で飲むことができるため、ダイレクトボトルが安定し飲みやすくなる。
【００１２】
請求項３に係る発明では、請求項１、２の構成に加え、前記蓋部材の開状態では、前記蓋部材は水平より下方まで開いている構成。そしてこのような構成により、飲料中に顔に蓋部材が当たる恐れが低減する。
【００１３】
請求項４に係る発明では、請求項１ないし３の構成に加え、前記蓋部材の前記取手対向部に補強用凹部を設け、この凹部を利用して前記蓋部材の開き角度を水平より下方まで導く構成。そしてこのような構成により、蓋部材が十分開放し、飲料中に顔に蓋部材が当たる恐れが低減する。さらに、蓋部材の強度が増すとともに、蓋部材の解放時、取手の上端部が凹部内に嵌入する形態になるため、蓋部材が横方向の力を受けても取手がその力を受け、蓋部材にそれ以上の無理な力が作用しなくなる。
【発明の効果】
【００１４】
請求項１、２に係る発明では、ダイレクトボトルの中蓋部材のヒンジ近傍に取手を設け、また、取手の取り付け位置をヒンジの下端にすることにより、ダイレクトボトルの持ち運びを容易にすることができ、ダイレクトボトルの利便性を向上することができる。また、取手に指を入れた状態で飲むことにより、飲料中ダイレクトボトルを安定させて飲むことができるようになり、ダイレクトボトルの信頼性を向上することができる。
【００１５】
請求項３に係る発明では、蓋部材の開状態時、蓋部材を水平より下方まで開かせることにより、請求項１、２に係る発明の効果に加え、飲料中に顔に蓋部材が当たる恐れは少なくなるため、安心して直飲みができ、ダイレクトボトルの信頼性をさらに向上することができる。
【００１６】
請求項４に係る発明では、蓋部材の取手対向部に補強用凹部を設け、この凹部を利用して蓋部材の開き角度を水平より下方まで導くことにより、請求項１ないし３に係る発明の効果に加え、蓋部材を十分開放することができるため、飲料中に顔に蓋部材が当たる恐れは少なくなり、安心して直飲みができ、ダイレクトボトルの信頼性をさらに向上することができる。また、蓋部材の強度を増すことができ、さらに蓋部材の解放時、取手の上端部が凹部内に嵌入し、蓋部材が横方向の力を受けても取手がその力を受けるため、ダイレクトボトルの信頼性及び安全性をさらに向上することができる。
【実施例】
【００１７】
図１及び図２に本願発明の断熱機能を有するステンレス製真空二重容器を用いたダイレクトボトルを示す。図１は、蓋部材を閉じた状態と開いた状態とを示す図２のＡ−Ａ線断面図を、図２は、図１の平面図を示す。以下、図１の右側のワンプッシュボタン側を前方側、左側の取手側を後方側と呼ぶ。
【００１８】
ステンレス製真空二重容器を用いたダイレクトボトル１は、真空断熱二重壁構造体からなる容器本体２及び該容器本体２の上端開口部に設けられる中蓋部材３及びこの中蓋部材３の上方に取り付けられ、中蓋部材３を開閉する蓋部材４とで構成される。
【００１９】
真空断熱二重壁構造体からなる容器本体２は、上方が開口する有底円筒状の部材であり、それぞれステンレス製の金属板を所定の形状に成形した内筒５、外筒６からなり、これら内筒５及び外筒６の上端部同志を溶着接合することにより内部空間７を形成し、該内部空間７を真空引きすることにより真空の閉断面構造体である真空二重壁構造体を形成している。
【００２０】
詳述すると、まず、一枚のステンレス製の金属板を所定の形状に絞り加工することにより、上方に開口部を有するやや小さ目の有底筒状体を形成し、これを内筒５とする。次いで、同じく一枚のステンレス製の金属板を所定の形状に絞り加工することにより、上方に開口部を有するやや大き目の有底筒状体を形成し、これを外筒６とする。尚、この外筒６の底面部には真空引きするための穴を形成する。そして外筒６内に小さ目の内筒５を挿入し、両筒５、６間に内部空間７を形成する形態で両筒５、６の開口端部を溶着接合する。その後ステンレス構造体を真空室に搬入し、外筒６に設けた穴から内部空間７を真空引きするとともに、同じく真空室において加熱熔解してなる図示しない封止材によって穴に封をし、内部空間７を真空にしてなる閉断面構造体を形成する。
【００２１】
このような真空二重壁構造体は、従来のガラス繊維や発泡スチロール等の断熱材に比べて遥かに断熱作用が高く、従来のものに比べて断熱性能が大きく向上する。また、外筒６の外周部は直接飲料容器１の外周面を形成することになるので、その面をステンレス製の地肌そのままの状態として使用することができるとともに、その外周面に人気キャラクターのデザインを付けることもできる。
【００２２】
そして、外筒６の上方外周部には、中蓋部材３の閉蓋時，該中蓋部材３の内側段部が当接する外側段部８が形成されるとともに、該外側段部８の上方部には、雄ねじ９が形成される。
【００２３】
前記中蓋部材３は、下方が開口された樹脂製の円筒状部材で、その上方内周面には、前記容器本体２の上端開口の外周面に形成される雄ねじ９と螺合可能な雌ネジ１０が形成され、また、その下方内周面には、内側段部１２が形成され、中蓋部材３が容器本体２に螺合されると該内側段部１２は、外筒６の外周部に形成される外側段部８に当接されるとともに、中蓋部材３の上壁内周面は、容器本体２の上端部に嵌合されるリング状のパッキン２６に当接され、容器本体２を液密状態にする。
【００２４】
さらに中蓋部材３の上壁面には、上方に立設する円筒状の飲み口部１１が一体に形成される。この飲み口部１１は、口に直接含み容器本体２内の内容物を直接飲むためのもので、図においては垂直に図示しているが、後記のワンプッシュボタンが設けられる方向である前方側に傾斜しているほうが飲みやすいためそのような形態でも良い。
【００２５】
中蓋部材３の前方側には、ワンプッシュボタン１３が設けられる。このワンプッシュボタン１３は、押圧部１３ａと、該押圧部１３ａと反対側の上方先端部に後方側に張り出して形成される係止片１３ｂと、押圧部１３ａを前方側に押圧するスプリング１３ｃと、押圧部１３ａと係止片１３ｂとの間に設けられる支点部１３ｄとからなり、通常時は、スプリング１３ｃの作用により、押圧部１３ａは前方側へ押圧されており、係止片１３ｂと蓋部材４の係合突起１８と係合されているが、押圧部１３ａを後方側へスプリング１３ｃの力に抗して押圧すると、係止片１３ｂと係合突起１８との係合が解除される。
【００２６】
また、中蓋部材３のワンプッシュボタン１３と反対側の後方側には、取手１４が一体に形成される。取手１４は、図２に示すように平面視の幅ｈで、断面略Ｃ字状の把持部１５からなる樹脂製部材であり、中蓋部材３の外周面との間に中空部１６を形成する。この中空部１６は、指が２、３本程度入る大きさであり、ダイレクトボトル１を持ち運んだり、或いは、内容物を飲むときにこの中空部１６に指を入れて飲むと、ダイレクトボトル１が安定するため、飲みやすくなる。
【００２７】
この取手１４は、中蓋部材３の上方と下方とで一体化されているが、その上方端１５ａは、中蓋部材３の上面より若干上方に突出され、さらにこの上方端１５ａには、後記のヒンジ軸２４を軸支するための軸孔１７が形成される。即ち、このような形態にすることにより、取手１４を単にダイレクトボトル１を持ち運びする等の機能のみではなく、ヒンジの一部としても機能させることができるため、全体の構造を単純化でき、デザイン性にも優れ、且つ生産コストをも低減することができる。
【００２８】
前記蓋部材４は、下方が開口された樹脂製の蓋で、前方側の下方端には外方に張り出して形成される係合突起１８が形成される。この係合突起１８は、通常時ワンプッシュボタン１３の係止片１３ｂと係合され、蓋部材４を中蓋部材３に対し閉蓋する。また、蓋部材４の上面には、パッキン２０を取り付けるための係止孔１９が設けられるとともに、この係止孔１９には図１に示すように、略キノコ状のパッキン２０が突起２０ｂを係止孔１９内に嵌入し、弁体２０ａを蓋部材４の上内面に当接する形態で取り付けられており、蓋部材４の閉蓋時、該パッキン２０の弁体２０ａは、飲み口部１１の上端部に係合し、容器本体２内を密封する。
【００２９】
前記蓋部材４の後方側には、図２に示すように矩形状部２１が形成されており、さらにこの矩形状部２１の幅方向の中央には、径方向に沿って蓋部材４の径より短く、且つ幅Ｈの溝状の凹部２２が形成される。また、この凹部２２には、蓋部材４の中心側の端部から外方に向かって半径長さより短い長さに渡って湾曲状の傾斜部２３が形成される。この傾斜部２３は、取手１４の把持部１５の上方の外周形状とほぼ同じにされており、蓋部材４が開放された際、図１で示すように、この傾斜部２３は取手１４の把持部１５の上方外周部に当接し、蓋部材４の開き角度を水平より下方までの大きな角度にすることを許容する。そして所定以上の角度には開放しないストッパーの機能をも有している。
【００３０】
前記矩形状部２１の幅方向の中央に凹部２２を設けることにより、矩形状部２１を左矩形状部２１ａと右矩形状部２１ｂに分割するとともに、左矩形状部２１ａと右矩形状部２１ｂとの間に取手１４の上方端１５ａが位置するように配置され、上記したように、蓋部材４の開放時、傾斜部２３が取手１４の把持部１５の上方外周部に当接することを可能にしている。
【００３１】
そして、左矩形状部２１ａと右矩形状部２１ｂとには、取手１４の上方端１５ａに形成される軸孔１７を介して幅方向に軸２４が挿入され、さらに左矩形状部２１ａと右矩形状部２１ｂの軸２４には、蓋部材４を開放方向に付勢するバネ２５が取り付けられ、全体でヒンジを形成している。即ち、ヒンジ及び取手１４は、蓋部材４に一体に形成されるとともに、ヒンジは、蓋部材４の外周よりも外側に位置している。また、このヒンジは、飲み口部１１の先端と比べ低い位置になるように形成される。
【００３２】
蓋部材４の開閉について説明する。ワンプッシュボタン１３の押圧部１３ａを押圧すると、係止片１３ｂと蓋部材４の係合突起１８との係合が外れる。すると、左矩形状部２１ａと右矩形状部２１ｂとに設けられるバネ２５の力により軸受である取手１４の上方端１５ａの軸孔１７を中心にして蓋部材４の前方側が上方に跳ね上がり、蓋部材４が開放される。
【００３３】
蓋部材４が開放されると、その後、蓋部材４は前方側へ反るように回動され、その時蓋部材４の凹部２２は、取手１４の把持部１５を包み込むようにして下動し、ついには図１で破線で示すように、凹部２２の傾斜部２３が取手１４の把持部１５の上方外周部に当接し、蓋部材４の開き角度を水平より下方までの大きな角度にした状態にまで開放する。即ち、蓋部材４に凹部２２を設けることにより蓋部材４の開放角度をより大きくすることができる。
【００３４】
また、解放時においては、蓋部材４の凹部２２内に取手１４の把持部１５の上方外周部が嵌り込み、且つ凹部２２の幅Ｈは、把持部１５の幅ｈより若干大きい程度であるので、蓋部材４に横方向の力が加わったとしても凹部２２の側面が把持部１５の側面に当接し、それ以上の動きを阻止するため、蓋部材４が破損することはない。また、蓋部材４の解放時に蓋部材４の凹部２２に把持部１５の上方外周部が当接し、それ以上蓋部材４が開放しないため、取手１４の把持部１５の中空部１６内に指を入れてダイレクトボトル１を持っていても指を痛めることはない。
【００３５】
更に、蓋部材４に凹部２２を設けることにより、それだけ蓋部材４の強度を高めることができる。また、取手１４は、ヒンジの下端に設けられるが、ヒンジの下端のできるだけ上方に設ける方がダイレクトボトル１を持ち運び易くすることができて良い。
【００３６】
図３は、図１の変形例を示す。図３のものは、飲み口部１１の先端にパッキンを直接取り付けるものである。図１のものは、パッキンを蓋部材４の上内面に取り付けているため、飲み口部１１に口を当てて内容物を飲んでいた。
【００３７】
ところが、飲み口部１１は樹脂であるため口にくわえたとき固く冷たい感じがし、飲みにくいという問題を有している。この例のものはこのような問題を解決するものである。
【００３８】
即ち、飲み口部１１の上端部にパッキン３０を取り付ける。このパッキン３０は、柔らかく口当たりの良い例えばシリコン製のもので、その上部に溝３１を有し、その下部内面に窪み３２を有する円筒状の部材であり、上部の溝３１を飲み口部１１の上端部に嵌合し、下部内面の窪み３２を飲み口部１１の外周部に形成される突起１１ａに係合することにより固定する。
【００３９】
そして、蓋部材４の閉蓋時、蓋部材４の上内面にパッキン３０の上端部が当接され、容器本体２内を密封する。なお、この例においては、パッキン３０以外の構成については図１のものと同じであるが、例えば、蓋部材４の凹部２２及び取手１４がないものにも適用することができる。
【００４０】
図４は、図３のさらなる変形例を示す。図４のものは、図３のものと同様、飲み口部１１の先端にパッキンを直接取り付けるものである。飲み口部１１の先端にパッキンを直接取り付け、該パッキンに口を付けて内容物を飲むと、そのパッキンが汚れるため洗う必要がある。ところが、洗ったパッキンを取り付ける際、逆に取り付ける場合がある。すると、蓋部材４の閉蓋時、パッキンが十分所期の効果を奏しない場合が生じる。この例のものはこのような問題を解決するものである。
【００４１】
即ち、パッキン４０は、図３のものと同様に柔らかく口当たりの良い例えばシリコン製のもので、円筒状からなり、その上下端部のどちらでもシール機能を有するように形成されている。また、その上下の対称位置には、飲み口部１１の外周部に形成される突起１１ａに係合可能で、且つ同じ形状の窪み４１、４１が設けられ、その形状は上下対称にされている。そのため、飲み口部１１の上端部にパッキン４０を取り付ける場合、上下どちらに取り付けても取り付けることができる。したがって、その取り付けには格別気を遣うことなく行うことができるとともに、パッキン４０一方端が破損したとしても窪み４１が残っていれば、その他方端を飲み口用として使用することができるため、その利便性を一層高めることができる。なお、この例においても、パッキン４０以外の構成については図１のものと同じであるが、例えば、蓋部材４の凹部２２及び取手１４がないものにも適用することができる。
【００４２】
図５は、図１、図３、図４の更なる変形例を示す。図５のものは、蓋部材４と中蓋部材３との当接箇所にパッキンを取り付けるものである。飲み口部１１に口を付けて内容物を飲むものでは、飲み口部１１が汚れると不衛生である。そして従来のダイレクトボトル１では、蓋部材４と中蓋部材との当接箇所に特にパッキンを設けていないため、この隙間からホコリが入り飲み口部１１が汚れるという問題があった。この例のものはこのような問題を解決するものである。
【００４３】
即ち、蓋部材４の外周下端部と中蓋部材３の外周上端部との間に、リング状のパッキン５０を設けたものである。このパッキン５０は、その内周面にリング状の窪み５１を有し、この窪み５１を中蓋部材３の外周側面に形成されるリング状の凸部５２に嵌合することにより固定される。そしてパッキン５０を取り付けた後、蓋部材４の外周下端部を、パッキン５０の外周上端部に形成されるリング状の段部５３に当接させることにより、蓋部材４と中蓋部材３とをシールする。なお、飲み口部１１の先端に設けられるパッキン３０は図３のものが用いられるが、それ以外のものでも良い。そして、この例においても、パッキン５０以外の構成については図１のものと同じであるが、例えば、蓋部材４の凹部２２及び取手１４がないものにも適用することができる。
【００４４】
図６のものはさらなる変形例を示す。この例のものは、中蓋部材３の上面を傾斜面とするものである。ダイレクトボトル１は、飲み口部１１に直接口を付けて飲むため、飲料終了時に飲み口部１１から水滴がたれることがあり、不衛生であった。この例のものはこのような問題を解決するものである。
【００４５】
即ち、図に示すように、中蓋部材３の上面にワンプッシュボタン１３側に傾斜した傾斜壁面６０を設けたものである。このような傾斜壁面６０を設けることにより、例え、飲料終了時に飲み口部１１から水滴６１がたれたとしても、その水滴６１は、図に示すようにワンプッシュボタン１３側に流れ出るため、飲み口部１１周辺が不衛生になることはない。さらにその水滴６１は、ワンプッシュボタン１３側に流れ出るためその時取手１４を掴んでいたとしても手にかかることはない。
【００４６】
本願発明は、上記実施例の構成に限定されるものではなく、発明の要旨を逸脱しない範囲において適宜設計変更可能であることは勿論である。
【図面の簡単な説明】
【００４７】
【図１】本願発明の蓋部材を閉じた状態と開いた状態とを示す断面図
【図２】本願発明の図１の平面図
【図３】本願発明の飲み口部用パッキンの他の例を示す断面図
【図４】本願発明の飲み口部用パッキンのさらに他の例を示す断面図
【図５】本願発明のさらに他の例を示す断面図
【図６】本願発明のさらに他の例を示す断面図
【図７】従来の直飲みステンレス製真空二重容器を用いたダイレクトボトルの断面図
【図８】ダイレクトボトルに単に取手を設けた場合の弊害を示す予想図
【符号の説明】
【００４８】
１…ダイレクトボトル      ２…容器本体
３…中蓋部材              ４…蓋部材
５…内筒                  ６…外筒
７…内部空間              ８…外側段部
９…雄ねじ                １０…雌ネジ
１１…飲み口部            １１ａ…突起
１２…内側段部            １３…ワンプッシュボタン
１３ａ…押圧部            １３ｂ…係止片
１３ｃ…スプリング        １３ｄ…支点部
１４…取手                １５…把持部
１５ａ…上方端            １６…中空部
１７…軸孔                １８…係合突起
１９…係止孔              ２０，２６，３０，４０…パッキン
２０ａ…弁体              ２０ｂ…突起
２１…矩形状部            ２１ａ…左矩形状部
２１ｂ…右矩形状部        ２２…凹部
２３…傾斜部              ２４…軸
２５…バネ                ３１…溝
３２，４１…窪み          ５２…凸部
５３…段部                ６０…傾斜壁面
６１…水滴
【図１】
2005296234.tif 000003
【図２】
2005296234.tif 000004
【図３】
2005296234.tif 000005
【図４】
2005296234.tif 000006
【図５】
2005296234.tif 000007
【図６】
2005296234.tif 000008
【図７】
2005296234.tif 000009
【図８】
2005296234.tif 000010